(57)【要約】      （修正有）【課題】寒冷地用杖で杖先端に装着されている爪部に発生する爪部の弛みや不快音、また内軸管の外装管内壁に接触する摩擦音や杖を突く時の内軸管の振れによる外装管内壁への小さな打撃音など不快音を防止する寒冷地用杖を提供する。【解決手段】寒冷地用杖は、外装管１、外装管１の上端に設けた握り部２、外装管１の下端に設けた、貫通穴３を備える接地キャップ４、外装管１内に収容される内装管５、握り部２に収容される操作桿６、貫通穴３を出入りする滑り止め部７を有する。滑り止め部７は、一方に下端が鋭利な爪８と他方に滑り止め部Ｏリング２１を装備する。内軸管５下端に一部挿入される爪部の外周に一本または複数本のＯリング２１を装着し、Ｏリング２１のつぶし代を利用し弛みを吸収させ、また内軸管５外周の適宜位置に複数本のＯリング２２を装備し、外装管１内壁面と内軸管５外周面を、Ｏリング２２を介して接しさせることで防振させ小さな打撃音、摩擦音などの不快音を軽減させた。【選択図】図１
0003228936.tif 000002
【実用新案登録請求の範囲】
【請求項１】
外装管と、該外装管上端に接続され、前端が少なくとも一部は開口する、樹脂成型された握り部と、上記外装管下端に接続され、貫通穴を下端に有する接地キャップと、上記外装管内部に収容される内軸管と、該内軸管上端に接続されて前記握り部内に収容される操作桿と、該操作桿に連結され、ばねにより常に押圧されて前記握り部前端部に露出するハンドルと、前記接地キャップの貫通穴を出入りする前記内軸管下端に一部挿入装備した爪部を有し、前記ハンドルの上下操作で、前記接地キャップの貫通孔からの前記爪部の出入りができるようにした杖において、前記内軸管下端に一部挿入される前記爪部の外周に一本または複数本のＯリングを装着し、さらに前記内軸管外周の適宜位置に複数本のＯリングを装備したことを特徴とする寒冷地用杖。
【考案の詳細な説明】
【技術分野】
【０００１】      本考案は、寒冷地において老人、身障者等が使用するのに便利な、簡単な操作で滑り止め用爪が出入りできるようにした杖に関する。
【背景技術】
【０００２】      寒冷地においては冬季間、凍結路面となり易く、危険防止のため、老人、身障者等が外出するときは、先端に滑り止めがついた杖を使用するのが一般的であるが、従来のものは、杖の先端に滑り止めを別体に取付け、雪道で使用しないときは杖の外側に鋭利な爪先端部が上向きになるよう折り返し、雪道で使用するときは下向きにして滑り止めとする型式のものが多く使用されていた。【０００３】      しかし上記のものは、建物に出入りする度に杖を持ち直して、切り換えしなければならず、非常に面倒であった。また、雪がない状態で使用するときは、鋭利な爪部分が外に露出しているため、人混みの中や転倒した場合のことを考えると非常に危険であり、それを防止するためには、面倒ではあるが、滑り止め部を個人で取り外すか、できない場合は、滑り止めが付いていない普通の杖と２本用意して切換使用したり、あるいは、杖の販売店等で料金を払って滑り止めを付け外ししてもらわなければならないというのが現状であった。【０００４】      上述した不便さを解消する目的で、同出願人の亡父による特許第３６９５４１８号のものが提案され商品化されている。この発明は握り部から少なくとも一部は突出するハンドルの、垂直方向、水平方向の回転あるいは移動により、建物等に出入りする際、歩きながらハンドルを握った手の指操作で簡単に滑り止めの爪を出し入れできるため、従来品のように、つい億劫になって爪を出したまま建物に入ってしまう、という危険性が少なくなり、安全性に優れたものであった。
【先行技術文献】
【特許文献】
【０００５】
【特許文献１】特許第３６９５４１８号
【考案の概要】
【考案が解決しようとする課題】
【０００６】      本考案は同出願人の亡父による特許第３６９５４１８号のものの改良に関するもので、杖は長い年月使用するため、杖先端に装着されている爪部が、繰り返し荷重や衝撃などを受け、爪部の摩耗や弛みや不快音、また内軸管の外装管内壁に接触する摩擦音や杖を突く時の内軸管の振れによる外装管内壁への小さな打撃音などが発生していた。この時、爪部の摩耗はともかく、弛みや摩擦音、小さな打撃音などの不快音の軽減が課題としてあった。
【課題を解決するための手段】
【０００７】      内軸管下端に一部挿入される爪部の外周に一本または複数本のＯリングを装着し、Ｏリングのつぶし代を利用し弛みを吸収させるものである。また内軸管外周の適宜位置に複数本のＯリングを装備し、外装管内壁面と内軸管外周面を、Ｏリングを介して接しさせることで防振させ小さな打撃音、摩擦音を軽減させたものである。
【考案の効果】
【０００８】      杖は長い年月使用するため、杖先端に装着されている爪部が、繰り返し荷重や衝撃などを受け、爪部の摩耗や弛み、また外装管と内軸管との間に発生する振動接触による摩擦音、小さな打撃音などが発生していた。この時、爪部の摩耗に関しては爪部の交換が行われている。しかし爪部の内軸管装着は衝撃などにより長時間使用で弛みが発生したりするが、内軸管下端に一部挿入される爪部の外周に一本または複数本のＯリングを装着し、Ｏリングのつぶし代を利用し弛みを吸収させ、ゴムの摩擦力で抜け出し防止ができるものである。【０００９】      また、内軸管外周の適宜位置に複数本のＯリングを装備し外装管内壁面と内軸管外周面を、Ｏリングを介して接しさせることで防振させ摩擦音、小さな打撃音を軽減させることができる。つまり杖を突いた時の衝撃による内軸管の二点支持による振動が内軸管に装備された複数本のＯリングにより振動を吸収緩和することで不快音をなくしている。これに使用しているＯリングは、内軸管の外径に対してＯリングの張代を大きく設けるとともにＯリング、外装管内面に対してはＯリングのつぶし代をほとんど設けさせないように設定する。このことによりＯリングは爪の出し入れの際の外装管内面との摩擦はほとんどないため、爪出し入れの操作に影響を及ばせないと同時にＯリングの消耗もないものである。
【図面の簡単な説明】
【００１０】
【図１】本考案を実施した一実施例で爪を杖内に収めた断面図である
【図２】本考案を実施した一実施例で爪を外に出した断面図である
【考案を実施するための形態】
【００１１】  以下、本考案の実施の形態を図面に基づいて詳細に説明する。図１および図２に本考案の寒冷地用杖の一実施例を示すが、１は外装管であり、上端に樹脂製の握り部２を、下端に中心部に小径の貫通穴３を設けた、耐摩耗性ゴムまたは軟質樹脂製の接地キャップ４を接続する。５は外装管１内に収容される内軸管であり、上端に、握り部２内に収容される操作桿６を、下端に、上記貫通穴３を出入りする滑り止め部７を接続している。滑り止め部７は、一方に下端が雪氷に刺さりやすいように鋭利に加工した爪８と他方に内軸管５の下端内部に挿入される滑り止め部Ｏリング２１を装備されている。
【００１２】  握り部２は前端に縦長長方形の切り欠き窓９を形成し、ハンドル１０を、支点となる軸ピン１１によりヒンジ結合している。ハンドル１０は一端にレバー部１２を形成し、他端に二股状の結合部１３を形成する。
【００１３】  操作桿６は、上方を上記結合部１３にはまり込むべく小径に形成し、上端部に小径横溝１４およびその下端部を深くした大径溝１５を側方に開口するように設ける。ハンドル１０の結合部１３の先端に挿入されたピン１６が上記小径横溝１４および大径溝１５に係止してハンドル１０と操作桿６は結合されることになる。大径溝１５は小径横溝１４よりも、ピン１６の半径以上深く形成している。
【００１４】  さらに操作桿６の小径横溝１４の下方にロールピン１７を  、両端を突出させて挿入し、上記ロールピン１７に、二股状の捻りばね１８を装着し、ハンドル１０に常に押圧力を与えるようにしている。なお、１９は外装管１が当接する軸受け座金である。
【００１５】  また、内軸管５の上下外周の適宜位置に２本の内軸管Ｏリング２２を装備し、外装管１の内壁面と内軸管５の外周面を、Ｏリングを介して僅か接しさせている。これに使用しているＯリングは、内軸管５の外径に対してＯリングの張代を大きく設けるとともに、外装管１の内面に対してはＯリングのつぶし代をほとんど設けさせないように設定してある。
【実施例】
【００１６】図１は滑り止め部７の爪８が接地キャップ４内に収容されている常態を示しており、操作桿６の上端が握り部２の内部上端部またはレバー部１２下端が握り部２の下側前端部に当接して停止しているが、非常態である冬道で使用するときは、ハンドル１０のレバー部１２に指をかけて上方に引き上げるようにしてやればよく、ハンドル１０は軸ピン１１を中心として回転し、ピン１６も下降して回転の前半では図の右側に、回転の後半では左側方向に移動しながら下降を続ける。それにともなって操作桿６も下降し、約１２０°回転して、滑り止め部７の肩部２０またはレバー１２の上端が握り部２の上側前端部に当接して停止し、図２の状態となる。【００１７】  さらに、爪８が接地することにより操作桿６に上昇力が生じ、ピン１６が大径溝１５下端に当接して停止する。この状態においては、爪８が貫通穴３から下方に長く突出しており、ピン１６が大径溝１５に入り込み、また、捻りばね１８がハンドル１０を上方に回転させようとする力として作用しているため、内軸５に作用する静的な上向きの力や衝撃力が大きくても、ピン１６は、その半径より深い大径溝１５を乗り越えて小径横溝１４に入り込むことはなく、従って、ハンドル１０を回転させない限り、爪８が接地キャップ４内に入り込む、いわゆる自走は起こらない。また、図１の状態にあっても、捻りばね１８はハンドル１０を下方に回転させようとする力として作用しているため、内軸５等の自重により、爪８が接地キャップ４から突出する、逆方向の自走も生じない。【００１８】  図１、２において、杖を地面に突くとき握り部２とキャップ４はそれぞれ手と地面とに接触固定される。しかし内軸管５、滑り止め部７、操作稈６、爪８などは対応する面とのクリアランスがあるため、杖を突く衝撃が振動を発生させ、それぞれの対応する面にあたり衝撃音を発生させていた。【００１９】  しかし、内軸管５の上下外周の適宜位置に２本の内軸管Ｏリング２２を装備し、内軸管５の外径に対して内軸管Ｏリング２２の張代を大きく設けるとともに、外装管１の内面に対してはＯリングのつぶし代をほとんど設けず、外装管１の内壁面と内軸管５の外周面を、Ｏリングを介して僅か接しさせている。【００２０】  また滑り止め部７の内軸管５下端に挿入される部分に滑り止めＯリング２１を装着することで、そこで発生する衝撃振動を吸収し使用時の異音発生をなくしたものである。【００２１】  つまり本考案は、杖で地面を突くときに発生する衝撃振動が、杖の内部構成部材がもつクリアランスに作用し、それぞれの部材も振動するため不快音として発生していた。これを防止するためＯリングによる弾性体で衝撃振動を吸収することで不快音をなくしたものである。
【符号の説明】
【００２２】１．  外装管
２．  握り部
３．  貫通穴
４．  キャップ
５．  内軸管
６．  操作稈
７．  滑り止め部
８．  爪
９．  切り欠き窓
１０．  ハンドル
１１．  軸ピン
１２．  レバー部
１３．  結合部
１４．  小径横溝
１５．  大径溝
１６．  ピン
１７．  ロールピン
１８．  捩じりばね
１９．  座金
２０．  肩部
２１．  滑り止め部
２２．  内軸管Ｏリング
【図１】
0003228936.tif 000003
【図２】
0003228936.tif 000004